(57)【要約】【課題】可撓性を有する光ディスクを回転させた際、ベルヌーイ効果を作用させる主／副安定化部材の簡易的な制御により、記録／再生位置における良好なディスク面ぶれ低減効果をディスク半径方向に渡って実現し、また、この制御に伴う光ピックアップの記録／再生位置に対する位置調整を容易にする。【解決手段】可撓性を有する光ディスク１に対してベルヌーイ効果を作用させる主安定化部材５を光ピックアップの走査動線Ｒに対向して延在させ、さらに、前記主安定化部材５に対向する作用力を発生させるように補助安定化部材６を、光ピックアップが走査する動線Ｒに近接し、かつ光ディスク１の中心付近を通る直線Ａによって光ディスク１の面内を２つの領域Ｓ１，Ｓ２に分けた一方の領域Ｓ２に配設することにより、面ぶれ低減領域を、任意のディスク半径上の線状領域に一度に形成することが可能になる。【選択図】図１
2005032402.tif 000002
【特許請求の範囲】
【請求項１】
可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、
前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材を配設し、さらに前記主安定化部材を、前記記録／再生手段のディスク半径方向の走査動線に対向して延在させたことを特徴とする記録／再生装置。
【請求項２】
前記２つの領域のうち、前記記録／再生手段に対してディスク回転方向の下流側に位置する領域に、前記補助安定化部材を少なくとも１つ配設したことを特徴とする請求項１記載の記録／再生装置。
【請求項３】
前記２つの領域のうち、前記記録／再生手段に対してディスク回転方向の上流側に位置する領域に、前記補助安定化部材を少なくとも１つ配設したことを特徴とする請求項１記載の記録／再生装置。
【請求項４】
前記２つの領域のそれぞれに、前記補助安定化部材を少なくとも１つずつ配設したことを特徴とする請求項１記載の記録／再生装置。
【請求項５】
前記記録ディスクの回転中心部分を保持部材に保持させたときに、該記録ディスクにおける前記主安定化部材側を押して撓ませた場合に撓みが始まる支点位置を結んだ周部に対して、前記記録ディスクの中心付近を通る直線Ａが交差する２点を通り、かつ前記直線Ａに垂直な２つの直線Ｂ１，Ｂ２における前記主安定化部材に近い側の直線Ｂ１と遠い側の直線Ｂ２とにより挟まれた前記記録ディスク面上の領域に、前記補助安定化部材による前記記録ディスクに対する力の作用点の位置を設定したことを特徴とする請求項１〜４いずれか１項に記載の記録／再生装置。
【請求項６】
前記記録ディスクの回転中心部分を保持部材に保持させたときに、該記録ディスクにおいて前記主安定化部材側を押して撓ませた場合に撓みが始まる支点位置を結んだ周部に対して、前記記録ディスクの中心付近を通る直線Ａが交差する２点を通り、かつ前記直線に垂直な２つの直線Ｂ１，Ｂ２における前記主安定化部材に近い側の直線Ｂ１と遠い側の直線Ｂ２とにより挟まれた前記記録ディスク面上の領域内の前記直線Ｂ１の近傍に、前記補助安定化部材によるディスクに対する力の作用点の位置を設定したことを特徴とする請求項４記載の記録／再生装置。
【請求項７】
前記２つの領域にそれぞれ存在する少なくとも１つずつの前記補助安定化部材が対をなし、かつ該補助安定化部材による前記記録ディスク面に対する力の作用点が前記直線Ｂ１あるいはＢ２の平行線上に位置するように設定したことを特徴とする請求項４記載の記録／再生装置。
【請求項８】
前記主安定化部材と補助安定化部材とを装置本体における筐体に設置したことを特徴とする請求項１〜７いずれか１項に記載の記録／再生装置。
【請求項９】
前記主安定化部材における前記記録ディスクに対向する面のディスク円周方向の形状を円近似してなる曲線の曲率半径を、ディスク内周から外周方向にかけて小さくなるように設定したことを特徴とする１，５，６または８記載の記録／再生装置。
【請求項１０】
前記主安定化部材におけるディスク円周方向の有効領域幅を、ディスク内周から外周方向にかけて小さくなるように設定したことを特徴とする１，５，６または８記載の記録／再生装置。
【請求項１１】
前記安定化部材における前記記録ディスクに対向する面のディスク円周方向の形状を円近似してなる曲線の曲率半径を、ディスク内周から外周方向にかけて小さくなるように設定すると共に、該安定化部材におけるディスク円周方向の有効領域幅を、ディスク内周から外周方向にかけて小さくなるように設定したことを特徴とする１，５，６または８記載の記録／再生装置。
【請求項１２】
内部に収納された可撓性を有する記録ディスクの回転時、ベルヌーイ効果を利用して少なくとも記録／再生位置付近における前記記録ディスクの面ぶれを抑制する主安定化部材と、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させる補助安定化部材とが作用する構成のディスクカートリッジであって、
前記主安定化部材を、前記記録／再生手段のディスク半径方向の走査動線に対向して延在するようにカートリッジ内壁に設けたことを特徴とするディスクカートリッジ。
【請求項１３】
内部に収納された可撓性を有する記録ディスクの回転時、記録／再生手段のディスク半径方向の走査動線に対向して延在し、ベルヌーイ効果を利用して少なくとも記録／再生位置付近における前記記録ディスクの面ぶれを抑制する主安定化部材が作用する構成のディスクカートリッジであって、
前記記録ディスクの面内を、記録／再生装置側に設けられた記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材をカートリッジ内壁に設けたことを特徴とするディスクカートリッジ。
【請求項１４】
可撓性を有する記録ディスクが収納され、該記録ディスクの回転時、ベルヌーイ効果を利用して少なくとも記録／再生位置付近における前記記録ディスクの面ぶれを抑制する主安定化部材を備えたディスクカートリッジにおいて、
前記主安定化部材を、前記記録／再生手段のディスク半径方向の走査動線に対向して延在するようにカートリッジ内壁に設けると共に、前記記録ディスクの面内を、記録／再生装置側に設けられた記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材をカートリッジ内壁に設けたことを特徴とするディスクカートリッジ。
【請求項１５】
前記主安定化部材と前記補助安定化部材との位置を調整可能にしたことを特徴とする請求項１２，１３または１４記載のディスクカートリッジ。
【発明の詳細な説明】
【技術分野】
【０００１】
本発明は、可撓性を有する記録ディスクに対して記録および／または再生処理を行う記録／再生装置、およびその記録ディスクを収納するディスクカートリッジに関するものである。
【背景技術】
【０００２】
近年、テレビ放送のデジタル化が始まるなど、大容量のデジタルデータを記録することが情報記録媒体に求められている。例えば、光ディスクの分野においては、記録／再生のために光ディスクに集光される光スポット径を小さくすることが、高密度化のための基本的な方法の一つに挙げられる（以下、光ディスクを代表として説明するが、本発明が対象とする記録／再生装置に用いられる記録ディスクは、相変化メモリ，光磁気メモリ，ホログラムメモリなどのディスク状の記録ディスクで活用するものすべてを対象にし、特に光ディスクに限定するものではない）。
【０００３】
このため、光ディスクの高密度化においては、記録／再生のために用いられる光の波長を短く、かつ対物レンズの開口数ＮＡを大きくすることが有効である。光の波長についてはＣＤ（ｃｏｍｐａｃｔ  ｄｉｓｋ）では近赤外光の７８０ｎｍ、ＤＶＤ（ｄｉｇｉｔａｌ  ｖｅｒｓａｔｉｌｅ  ｄｉｓｋ）では赤色光の６５０ｎｍ近傍の波長が用いられている。最近、青紫光の半導体レーザが開発され、今後は４００ｎｍ近傍のレーザ光が使用されると予想される。
【０００４】
また、対物レンズについては、ＣＤ用はＮＡ０．５未満であったが、ＤＶＤ用はＮＡ０．６程度である。今後、さらに開口数（ＮＡ）を大きくしてＮＡ０．７以上とすることが求められる。しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面ぶれを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えば非特許文献１に記載されているように、ＣＤと同程度に厚く、かつ剛性の大きい基板に記録膜を成膜し、記録／再生用の光を基板を通さずに、薄いカバー層内を通して記録膜に対して記録／再生する構成のシステムが提案されている。
【０００７】
また、特許文献１〜５あるいは非特許文献２には、ベルヌーイの法則による空気力学的作用力を利用して光ディスクにおける面ぶれを安定化させるため、安定化部材に対向させて可撓性を有する光ディスクを回転させる構成の記録／再生装置、あるいは可撓性を有する光ディスクの構成などについての記載がある。
【特許文献１】特開平７−１０５６５７号公報
【特許文献２】特開平１０−３０８０５９号公報
【特許文献３】米国特許出願公開第２００２／０１８６６３６号明細書
【特許文献４】特開２００２−２６９８５５号公報
【特許文献５】特開２００２−３５８７５９号公報
【非特許文献１】オー・プラス・イー（Ｏ  ＰＬＵＳ  Ｅ）第２０巻，第２号，Ｐ．１８３ページ
【非特許文献２】「オプティカル・リードアウト・オブ・ビデオディスク」  アイイーイーイー・トランザクション・オン・コンシューマー・エレクトロニクス（“ＯＰＴＩＣＡＬ  ＲＥＡＤＯＵＴ  ＯＦ  ＶＩＤＥＯＤＩＳＣ”，ＩＥＥＥ  ＴＲＡＮＳＡＣＴＩＯＮ  ＯＮ  ＣＯＮＳＵＭＥＲ  ＥＬＥＣＴＲＯＮＩＣＳ），１９７６年１１月、Ｐ．３０４−３０８
【発明の開示】
【発明が解決しようとする課題】
【０００８】
しかしながら、前記従来の技術において、光ディスクの基板を剛体で形成すると、回転する光ディスクにおける面ぶれ,チルトを小さくするためには、きわめて正確な成形をし、かつ熱変形が生じないように低温で記録膜を成膜しなければならない。このことは、光ディスク製造に係るタクトタイムを長くすることになり、コストを上げる原因となる。
【０００９】
また、特許文献２に記載されているように可撓性のある光ディスクを安定板上で回転させる方法では、光ディスクと安定化板が接して摺動する危険性が高く、ディスク面あるいは安定化板面が傷ついてしまうという問題がある。この摺動により、発塵を引き起こして、その塵埃などがエラーを発生させる原因となる。
【００１０】
特に特許文献１に記載されているように、安定化板側に記録膜が存在する構成であると、摺動により光ディスクの記録膜を損傷して、直接エラーを引き起こすことになる。また、単に平面状の安定化板を用いただけでは、ディスク面振れの低減効果にも限界があり、高ＮＡの対物レンズを使用する際に、対物レンズとディスクが衝突する危険性は未だ問題として残されたままである。
【００１１】
安定化板を用いる方法の一つとして、非特許文献２に記載されているような方法もある。この構成においては、U-shaped stabilizerなる２つの安定化部材から構成される部材により形成した狭いギャップに、フレシキブルディスクを挟んで回転させることにより、飛躍的に小さなディスク面ぶれに抑えることを実現できるものの、非特許文献２にも記載されているように、フレキシブルディスクと安定化部材の間のギャップが片側２５μｍと小さいため、安定化部材とディスク間にゴミなどを巻き込んで、記録膜を損傷し、直接エラーを引き起こす危険性がある。特に、この構成においては、安定化部材がディスクの表裏で必ず近接するため、情報記録部をディスクの表裏のいずれに形成した場合にも、この問題は避けることができない。
【００１２】
これらの問題を解決するための１つの手段として、本件出願人は、特許文献３などにおいて、光ディスクとの対向面が円弧状をなす円柱状の安定化ガイド部材を用い、光ディスクにおける安定化ガイド部材による空気圧の作用による面ぶれが安定する部位におけるディスク回転方向上流側と下流側とに空気圧の作用を生じさせない領域(安定化ガイド部材がない空間部)を設けて、面ぶれを安定化させた部位の前後位置に光ディスクに「逃げ」となる部分を存在させ、面ぶれを安定化させた部位での光ディスクにおける反発力を小さくすることにより、空気力による安定化力の効果を増大させる発明を提案した。
【００１３】
この発明によれば、可撓性を有する光ディスクの面ぶれを確実に抑制し、高密度の記録を可能にし、また対物レンズとの摺接などの不具合の発生を防ぐことが可能となるが、反面、この実現においては、安定化ガイド部材と記録／再生ヘッドの複雑な位置調整制御が必要となるため、ドライブ制御系の負荷が大きくなるばかりでなく、装置コストがかなり高価なものになるという課題がある。
【００１４】
本発明の目的は、前記課題を解決し、可撓性を有する記録ディスクを回転させ、ベルヌーイ効果を作用させる安定化部材の簡易的な制御により、記録／再生位置における良好なディスク面ぶれ低減をディスク半径方向に渡って実現することができ、また、この制御に伴う記録／再生手段の記録／再生位置への位置調整も容易に行うことのできるようにした記録／再生装置、および可撓性を有する記録ディスクが収納され、かつ安定化部材を備えたディスクカートリッジを提供することにある。
【課題を解決するための手段】
【００１５】
前記目的を達成するため、請求項１に記載の発明は、可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材を配設し、さらに前記主安定化部材を、前記記録／再生手段のディスク半径方向の走査動線に対向して延在させたことを特徴とし、この構成によって、簡略化された安定化部材の機構・動作にて良好な面ぶれ低減効果が得られるようになり、また、この面ぶれ低減領域は、任意のディスク半径上の線状領域に一度に形成され、これにより、記録／再生における基本動作は、記録／再生手段による該線状領域の走査のみでよくなり、記録／再生手段の記録／再生位置への位置調整が極めて容易になる。また、この構成によって、記録／再生位置において、主安定化部材を記録ディスクの片面のみに作用させるだけで面ぶれを効率的に抑制することができ、特に記録ディスクの両面でディスクを挟み込むなどの構造が必要なくなるため、記録層を主安定化部材の作用面とは逆側に形成する構成にすれば、主安定化部材と記録ディスクとの衝突により記録情報が欠落してエラーが増大するなどの不具合を避けることができる。
【００１６】
請求項２に記載の発明は、請求項１記載の記録／再生装置において、２つの領域のうち、記録／再生手段に対してディスク回転方向の下流側に位置する領域に、補助安定化部材を少なくとも１つ配設したことを特徴とし、この構成によって、主安定化部材の位置のディスク面が該主安定化部材に対向する力を発生させることができるようになり、請求項１の作用効果を効果的に奏することが可能となる。
【００１７】
請求項３に記載の発明は、請求項１記載の記録／再生装置において、２つの領域のうち、記録／再生手段に対してディスク回転方向の上流側に位置する領域に、補助安定化部材を少なくとも１つ配設したことを特徴とし、この構成によって、主安定化部材の位置のディスク面が該主安定化部材に対向する力を発生させることができるようになり、請求項１の作用効果を効果的に奏することが可能となる。
【００１８】
請求項４に記載の発明は、請求項１記載の記録／再生装置において、２つの領域のそれぞれに、補助安定化部材を少なくとも１つずつ配設したことを特徴とし、この構成によって、主安定化部材の位置のディスク面が該主安定化部材に対向する力を発生させることができるようになり、請求項１の作用効果を効果的に奏することが可能となる。特に請求項２，３の構成と比べて、より良好なディスク面ぶれ低減効果を得ることができる。また、記録ディスクの反り形状によらず請求項１の効果を奏し得る。
【００１９】
請求項５に記載の発明は、請求項１〜４いずれか１項に記載の記録／再生装置において、記録ディスクの回転中心部分を保持部材に保持させたときに、該記録ディスクにおける主安定化部材側を押して撓ませた場合に撓みが始まる支点位置を結んだ周部に対して、前記記録ディスクの中心付近を通る直線Ａが交差する２点を通り、かつ前記直線Ａに垂直な２つの直線Ｂ１，Ｂ２における前記主安定化部材に近い側の直線Ｂ１と遠い側の直線Ｂ２とにより挟まれた前記記録ディスク面上の領域に、前記補助安定化部材による前記記録ディスクに対する力の作用点の位置を設定したことを特徴とし、この構成によって、補助安定化部材が記録ディスクに作用する力によって、主安定化部材近傍のディスク面に、該主安定化部材に近づく方向の力を効率的に発生させることが可能となり、主安定化部材による面ぶれ低減効果を向上させることができる。
【００２０】
請求項６に記載の発明は、請求項４記載の記録／再生装置において、記録ディスクの回転中心部分を保持部材に保持させたときに、該記録ディスクにおいて主安定化部材側を押して撓ませた場合に撓みが始まる支点位置を結んだ周部に対して、前記記録ディスクの中心付近を通る直線Ａが交差する２点を通り、かつ前記直線に垂直な２つの直線Ｂ１，Ｂ２における前記主安定化部材に近い側の直線Ｂ１と遠い側の直線Ｂ２とにより挟まれた前記記録ディスク面上の領域内の前記直線Ｂ１の近傍に、補助安定化部材による記録ディスクに対する力の作用点の位置を設定したことを特徴とし、この構成によって、請求項５の作用効果に加え、主安定化部材の位置におけるディスク面ぶれをより低減させることができる。
【００２１】
請求項７に記載の発明は、請求項４記載の記録／再生装置において、２つの領域にそれぞれ存在する少なくとも１つずつの補助安定化部材が対をなし、かつ該補助安定化部材による記録ディスク面に対する力の作用点が直線Ｂ１あるいはＢ２の平行線上に位置するように設定したことを特徴とし、この構成によって、直線Ａ方向のディスク形状の直線性をより高めることができる。この効果に加えて、主安定化部材によるディスク面の安定化力を作用させることにより、より理想的に、ディスク半径方向にわたる線状領域において面ぶれ低減化を図ることができる。
【００２２】
請求項８に記載の発明は、請求項１〜７いずれか１項に記載の記録／再生装置において、主安定化部材と安定化部材とを装置本体における筐体に設置したことを特徴とし、この構成によって、カートリッジを用いないか、あるいはカートリッジから記録ディスクを取り出し、記録ディスク単体を駆動する装置に適用して有効である。
【００２３】
請求項９に記載の発明は、１，５，６または８記載の記録／再生装置において、主安定化部材における記録ディスクに対向する面のディスク円周方向の形状を円近似してなる曲線の曲率半径を、ディスク内周から外周方向にかけて小さくなるように設定したことを特徴とし、この構成によって、ディスク内外周で光ディスクと安定化部材との相対速度が変化して空気力学的な力の条件が変化しても、この変化を前記曲率半径の設定により補償することができ、このためディスク半径方向における記録／再生位置のディスク面ぶれを安定化させることができる。
【００２４】
請求項１０に記載の発明は、１，５，６または８記載の記録／再生装置において、主安定化部材におけるディスク円周方向の有効領域幅を、ディスク内周から外周方向にかけて小さくなるように設定したことを特徴とし、この構成によって、ディスク内外周で光ディスクと安定化部材との相対速度が変化して空気力学的な力の条件が変化しても、この変化を前記有効領域幅の設定により補償することができ、このためディスク半径方向における記録／再生位置のディスク面ぶれを安定化させることができる。
【００２５】
請求項１１に記載の発明は、１，５，６または８記載の記録／再生装置において、安定化部材における記録ディスクに対向する面のディスク円周方向の形状を円近似してなる曲線の曲率半径を、ディスク内周から外周方向にかけて小さくなるように設定すると共に、該安定化部材におけるディスク円周方向の有効領域幅を、ディスク内周から外周方向にかけて小さくなるように設定したことを特徴とし、この構成によって、請求項９，１０よりもさらに効果的に、ディスク半径方向における記録／再生位置のディスク面ぶれを安定化させることができる。
【００２６】
請求項１２に記載の発明は、内部に収納された可撓性を有する記録ディスクの回転時、ベルヌーイ効果を利用して少なくとも記録／再生位置付近における前記記録ディスクの面ぶれを抑制する主安定化部材と、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させる補助安定化部材とが作用する構成のディスクカートリッジであって、前記主安定化部材を、前記記録／再生手段のディスク半径方向の走査動線に対向して延在するようにカートリッジ内壁に設けたことを特徴とし、この構成によって、ディスクカートリッジごとに主安定化部材を個別に設定することができることから、各種記録ディスクの仕様ごとに主安定部材を個々に設計することが可能となり、ディスク仕様のばらつきによる主安定化部材に関わる安定化条件のずれを補正することが可能となる。
【００２７】
請求項１３に記載の発明は、内部に収納された可撓性を有する記録ディスクの回転時、記録／再生手段のディスク半径方向の走査動線に対向して延在し、ベルヌーイ効果を利用して少なくとも記録／再生位置付近における前記記録ディスクの面ぶれを抑制する主安定化部材が作用する構成のディスクカートリッジであって、前記記録ディスクの面内を、記録／再生装置側に設けられた記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材をカートリッジ内壁に設けたことを特徴とし、この構成によって、ディスクカートリッジごとに補助安定化部材を個別に設定することができることから、各種記録ディスクの仕様ごとに補助安定部材を個々に設計することが可能となり、ディスク仕様のばらつきによる補助安定化部材に関わる安定化条件のずれを補正することが可能となる。
【００２８】
請求項１４に記載の発明は、可撓性を有する記録ディスクが収納され、該記録ディスクの回転時、ベルヌーイ効果を利用して少なくとも記録／再生位置付近における前記記録ディスクの面ぶれを抑制する主安定化部材を備えたディスクカートリッジにおいて、前記主安定化部材を、前記記録／再生手段のディスク半径方向の走査動線に対向して延在するようにカートリッジ内壁に設けると共に、前記記録ディスクの面内を、記録／再生装置側に設けられた記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材をカートリッジ内壁に設けたことを特徴とし、この構成によって、ディスクカートリッジごとに主安定化部材および補助安定化部材を個別に設定することができることから、各種記録ディスクの仕様ごとに主安定化部材および補助安定部材を個々に設計することが可能となり、ディスク仕様のばらつきによる主安定化部材および補助安定化部材に関わる安定化条件のずれを補正することが可能となる。また、記録／再生装置側に安定化部材を配設する必要がなくなり、記録／再生装置における構成の簡略化を図ることができる。
【００２９】
請求項１５に記載の発明は、請求項１２，１３または１４記載のディスクカートリッジにおいて、主安定化部材と補助安定化部材との位置を調整可能にしたことを特徴とし、この構成によって、記録ディスクの仕様に応じて安定化部材の位置調整を行うことによって、より効果的にディスク面ぶれを安定化させることが可能になる。
【発明の効果】
【００３０】
以上説明したように、本発明によれば、可撓性を有する記録ディスクの面ぶれをベルヌーイ効果を利用して少なくとも記録／再生位置付近において抑制するための主安定化部材を、記録／再生手段のディスク半径方向の走査動線に対向して延在させ、さらに前記主安定化部材と共に面ぶれの抑制を行う補助安定化部材を、記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材を作用させた場合に発生するディスク面の対抗力が大きくなるように補助安定化部材を配設することにより、簡略化された安定化部材の機構・動作にて良好な面ぶれ低減効果が得られるようになる。
【００３１】
また、この面ぶれ低減領域は、任意のディスク半径上の線状領域に一度に形成され、これにより、記録／再生における基本動作は、記録／再生手段による該線状領域の走査のみでよくなり、記録／再生手段の記録／再生位置への位置調整が極めて容易になる。
【００３２】
このようにして、ディスク半径方向における記録／再生位置のディスク面ぶれを安定化させることができるため、可撓性を有する記録ディスクに対する安定した記録／再生が実現する。
【発明を実施するための最良の形態】
【００３３】
以下、本発明の実施の形態を図面を参照して説明する。
【００３４】
図１は本発明の記録／再生装置の実施形態１を説明するための要部の平面図、図２は図１の実施形態１の正面図であり、１は可撓性を有する記録ディスクである光ディスク、２は光ディスク１の回転中心（中央）部分に装着された光ディスク１を回転させるために保持する一方の保持部材であるハブ、３は他方の保持部材であるチャッキング部をハブ２に嵌合して光ディスク１を回転駆動するスピンドルモータ、４は、光ディスク１の半径方向に移動して光ディスク１に対して光ビームを集光させ、情報の記録／再生処理を行うため光ディスク１に対して光走査（動線Ｒ方向）を行う記録／再生手段である光ピックアップである。
【００３５】
さらに、５は、正面から見て光ディスク１側が円弧状に突出し、かつ平面から見て長方形をなし、図１に示すように、平面状態において長手方向が光ピックアップ４におけるディスク半径方向の走査動線Ｒに対向して延在する主安定化部材であって、主安定化部材５は、ベルヌーイの法則による空気力学的作用力を利用して、光ディスク１における少なくとも光ピックアップ４による記録／再生位置付近の光ディスクの面ぶれを抑制するものである。
【００３６】
さらに、６は、主安定化部材５と共に作用して、光ディスク１に対して空気力学的作用力を作用させる補助安定化部材であって、主安定化部材５と補助安定化部材６とは光ディスク１の記録面とは反対側のディスク基板側に配設されている。
【００３７】
また、実施形態１では、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ａによって分けた２つの領域Ｓ１，Ｓ２のうち、光ピックアップ４における光ディスク回転方向の下流側に位置する領域Ｓ２に、主安定化部材５とは独立して補助安定化部材６を少なくとも１つ（実施形態１では１つのみを示す）配設している。
【００３８】
図３は本発明の記録／再生装置の実施形態２を説明するための要部の平面図、図４は図３の実施形態２の正面図である。なお、以下の説明において、既に説明した部材に対応する部材には同一符号を付して詳しい説明は省略する。
【００３９】
実施形態２が実施形態１と異なる点は、実施形態１にて説明したのと同様にして分けた２つの領域Ｓ１，Ｓ２のうち、光ピックアップ４における光ディスク回転方向の上流側に位置する領域Ｓ１に、主安定化部材５と独立して補助安定化部材６を少なくとも１つ（実施形態１では１つのみを示す）配設した構成である。
【００４０】
図５は本発明の記録／再生装置の実施形態３を説明するための要部の平面図、図６は図５の実施形態３の正面図であって、実施形態３が実施形態１，２と異なる点は、実施形態１，２にて説明したのと同様にして分けた２つの領域Ｓ１，Ｓ２のそれぞれに、主安定化部材５と独立して補助安定化部材６を少なくとも１つずつ（実施形態３では各領域に１つ）を、対称位置に配設した構成である。
【００４１】
図７は本発明の記録／再生装置の実施形態４を説明するための要部の平面図、図８は図７の実施形態４の正面図である。実施形態４が実施形態３と異なる点は、実施形態３とは逆の光ディスク１の下側に、主安定化部材５と補助安定化部材６を配し、上側に光ピックアップ４を配した構成であって、実施形態１，２にて説明したのと同様にして２つの領域Ｓ１，Ｓ２のそれぞれに、主安定化部材５と独立して補助安定化部材６を少なくとも１つずつ（実施形態４では各領域に１つ）を、対称位置に配設した構成は同じであって、実施形態４は、光ディスク１を補助安定化部材６に引きつけるように作用させる構成にしており、光ディスク１に補助安定化部材６を押しつけた状態で作用させる実施形態３とは、作用力の与え方において異なる。
【００４２】
各実施形態の動作について説明する。
【００４３】
前記各実施形態における基本構成である安定化部材と可撓性を有する光ディスクとの間でベルヌーイの法則による空気力学的な力を発生させて、ディスク面ぶれを抑制するためには、安定化部材とディスク間の釣り合い条件が重要であり、特にディスクの安定化部材に向かう反力が重要なパラメータとなる。この反力はディスクの剛性と、ディスクが回転して平坦化しようとすることによって発生する浮上力によって決定される。
【００４４】
一方、任意の安定化部材によりディスク面に空気力学的な力を作用させた際には、該安定化部材におけるディスク回転方向の上下流のほぼ±９０度付近のディスク面が、ディスクを理想平面と考えた場合のディスク基準面付近に近づき、かつディスク面の剛性が上がる現象を示した。
【００４５】
そこで、本発明の各実施形態では、任意の安定化部材から±９０度ずれた位置のディスク面がディスク基準面付近に近づき、かつディスク面の剛性が上がる現象を、上述した反力として利用して、安定化部材とディスク間の釣り合い条件を調整することを可能にしている。具体的には、光ディスク１の表面に補助安定化部材６を作用させ、該補助安定化部材６から略９０度ずれた位置に配置した主安定化部材５の位置において釣り合い条件を調整している。
【００４６】
また、この補助安定部材６の作用によって、主安定化部材５付近のディスク形状は、半径方向全域にわたって略直線状になり、ディスク半径方向に延在させた形状の主安定化部材５の適用が容易となる。すなわち、主安定化部材５をディスク表面に作用させるにあたり、補助安定化部材６の作用によって、あらかじめ光ディスク１上の作用表面を略直線状としておくことにより、主安定化部材５の安定化効果を十分に引き出すことが可能となる。
【００４７】
このように、ディスク半径方向に延在させた主安定化部材５を効果的に作用させることにより、ディスク半径方向全域にわたって、ディスク面ぶれを一度に低減することが可能となる。すなわち、この安定化作用により、光ディスク１の任意の半径上に面ぶれを低減した線状領域を形成することができる。
【００４８】
図５，図６に示す実施形態３の構成では、補助安定化部材６の作用により、実施形態１，２の構成に比べて、さらに良好な面ぶれ低減効果が半径方向全域にわたって得られた。
【００４９】
実施形態１〜３の構成において、主安定化部材５にチルト制御系などを付加して、より高精度の微調整を行うことにより、記録／再生位置における面ぶれを最適化することができることはいうまでもない。
【００５０】
また、本補助安定化部材６によれば、光ディスク１の静的な反り形状などに関わらず、いかなる仕様の記録ディスクにおいても、記録／再生位置におけるディスク面ぶれを確実に低減できた。
【００５１】
実施形態１〜３において、図１に例示して示すように、光ディスク１のハブ２をスピンドルモータ３のチャッキング部に固定して、安定化部材５，６側を押して撓ませた場合に光ディスク１において撓みが始まる支点位置（図１ではハブ２の外周）を結んだ領域（図１では円形領域）と直線Ａとが交差する２点を通り、かつ該直線Ａに垂直な２つの直線、すなわち主安定化部材５に近い側の直線Ｂ１と遠い側の直線Ｂ２とにより挟まれたディスク面上の領域Ｃに、補助安定化部材６による光ディスク１に対する空気力学的な力の作用点Ｄを配置する構成にすることが有効であった。
【００５２】
この構成によって、補助安定化部材６が光ディスク１に作用する力によって、主安定化部材５近傍のディスク面に、主安定化部材５に近づく方向の力を効率的に発生させると共に、同部位におけるディスク半径方向のディスク形状を略直線状に安定状態にすることができた。
【００５３】
特に、実施形態３においては、図９，図１０に示す変形例のように、光ディスク１のハブ２をスピンドルモータ３のチャッキング部に固定して、安定化部材５，６側を押して撓ませた場合に光ディスク１において撓みが始まる支点位置（図９ではハブ２の外周）を結んだ周部（図９では円形領域）と直線Ａとが交差する２点を通り、かつ該直線Ａに垂直な２つの直線、すなわち主安定化部材５に近い側の直線Ｂ１と遠い側の直線Ｂ２とにより挟まれたディスク面上の領域Ｃにおいて、主安定化部材５に近い側の直線Ｂ１近傍に、補助安定化部材６の作用点２１を配置する構成が有効であった。
【００５４】
また、図９に示す構成において、２つの領域Ｓ１，Ｓ２にそれぞれ存在する少なくとも１つずつの補助安定化部材６が対をなし、補助安定化部材６によるディスク面に対する力の作用点２１を前記直線Ｂ１あるいはＢ２の平行線上に配置する構成とすることにより、直線Ａ方向のディスク形状における直線性を高めることができた。さらに、主安定化部材５によるディスク面の安定化力を作用させることにより、より理想的な記録／再生位置の面ぶれ低減を実現することができた。
【００５５】
また、前記補助安定化部材６の形状は、ディスク対向面が円弧状をなす円柱形状のものに限らず、例えば図１１，図１２に示す本発明の実施形態５のように、半円状の平板材からなる補助安定化部材８を使用して、光ディスク１の面内において、光ピックアップ４が走査するために移動する動線Ｒ近傍を除いて（ディスク面の面ぶれが安定するディスク基準面となる領域）、前記のように光ディスク１の中心付近を通る直線Ａによって分けた２つの領域Ｓ１，Ｓ２を覆うように配設する構成にすることも考えられる。なお、当該補助安定化部材８は２つの領域Ｓ１，Ｓ２の少なくともいずれか一方に配設すればよい。
【００５６】
ところで、本実施形態の基本構成である安定化部材をディスク径方向に延在させる構成において、単に矩形状の安定化部材をディスク径方向に延在させただけでは、光ディスクの内周と外周とにおいて光ディスクと安定化部材との相対速度が変化し、これに伴って空気力学的な力の条件が変化するため、ディスク半径方向でディスク面ぶれの安定化条件に差が生じる。
【００５７】
そこで、前記空気力学的な力の条件の変化を補償するための該空気力学的な力の条件を検討したところ、安定化部材の光ディスクに対向する面におけるディスク円周方向形状を円近似した曲線の曲率半径、および安定化部材のディスク円周方向における有効領域幅が関係するとの結論に達し、以下のような実施形態の構成を採用することで、既述した実施形態の作用効果をより効果的に奏するようにすることができた。
【００５８】
すなわち、図１３は本発明の記録／再生装置の実施形態６を説明するための要部の平面図、図１４（ａ）は図１３の安定化部材５におけるＡ−Ａ線断面図、図１４（ｂ）は図１３の主安定化部材５におけるＢ−Ｂ線断面図であり、図１４（ａ），（ｂ）のように、実施形態５では、主安定化部材５におけるディスク外周部での曲率半径Ｒｂが、内周部の曲率半径Ｒａよりも小さくなるようにし（Ｒａ＞Ｒｂ）、かつ主安定化部材５におけるディスク円周方向の有効領域幅が内外周ともＬａ＝Ｌｂであって全体が等しくなるように設定してある。
【００５９】
また、図１５，図１６（ａ），（ｂ）に示す本発明の実施形態７では、外周側での主安定化部材５におけるディスク円周方向の有効領域幅Ｌｂが、内周側での有効領域幅Ｌａよりも小さくなる（Ｌａ＞Ｌｂ）ようにし、かつディスク円周方向の曲率半径が内外周ともＲａ＝Ｒｂであって全体が等しくなるように設定してある。
【００６０】
また、図１７，図１８（ａ），（ｂ）に示す本発明の実施形態８では、外周側での主安定化部材５におけるディスク円周方向の有効領域幅Ｌｂが、内周側での有効領域幅Ｌａよりも小さくなる（Ｌａ＞Ｌｂ）ようにし、かつ主安定化部材５におけるディスク外周部での曲率半径Ｒｂが、内周部の曲率半径Ｒａよりも小さくなる（Ｒａ＞Ｒｂ）ように設定してある。
【００６１】
実施形態６〜８の構成にすることにより、ディスク外周部での反発力を低減し、また内周部での反発力を増大させることにより、ディスク半径方向に生じる該反発力の変化を小さくして、ディスク半径方向全域にわたって面ぶれ低減効果を均一化させることができたのである。
【００６２】
また、前記各実施形態は、主安定化部材５と補助安定化部材６（あるいは図１１に示す補助安定化部材８）を、図１９に例示するように、装置本体の筐体１０に設けることにより、光ディスクを収納するディスクカートリッジを用いないか、あるいはディスクカートリッジから光ディスクを取り出して駆動する記録／再生装置において実施することができる。
【００６３】
このような構成にして、主安定化部材５と補助安定化部材６とスピンドルモータ３との相対位置を固定することにより、光ピックアップ４の走査に関わらず、主補助安定化部材５と補助安定化部材６の光ディスク１に対する作用点の位置を一定にすることができる。
【００６４】
また、前記各実施形態における主安定化部材５と補助安定化部材６は、図２０に示すように、ディスクカートリッジ１１の内壁に設けることも可能であり、このように構成することにより、記録／再生装置側に主安定化部材５と補助安定化部材６を設ける必要がなくなり、記録／再生装置側の構成を簡略化することができる。さらに、この構成においては、ディスクカートリッジ１１に主安定化部材５と補助安定化部材６を個別に設定することができることから、各種ディスクの仕様ごとに対応させて主安定化部材５と補助安定化部材６を個々に設計することが可能となり、ディスク仕様のばらつきによる安定化条件のずれを補正することが可能となる。
【００６５】
なお、図２０に示すディスクカートリッジ１１では、主安定化部材５と補助安定化部材６の両方をディスクカートリッジ１１の内壁に設けているが、主安定化部材５と補助安定化部材６との少なくともいずれか一方を設置するようにしてもよく、図１１に示す補助安定化部材８を設けるようにしてもよい。
【００６６】
ディスクカートリッジ１１としては、例えば図２１，図２２に示す構成のものを例示することができる。図２１，図２２において、１３は光ピックアップ４およびスピンドルモータ３の一部が挿入され、かつ光ピックアップ４をディスク半径方向に移動可能にするための通孔部である。なお、前記通孔部１３を開閉するためのシャッタ、あるいはカートリッジ内で光ディスク１を固定するための機構、さらにカートリッジをスピンドルモータ３に設置する際に必要なその他の機構などに関しては図示していない。
【００６７】
前記実施形態においては、補助安定化部材を主安定化部材と同じ側に配置する構成例を説明したが、補助安定化部材を主安定化部材とディスクを挟んで逆側に配置しても同様のディスク面ぶれ低減効果が得られる。
【００６８】
また、補助安定化部材を光ディスクへ作用させる方法としては、大別して実施形態１〜３のように、光ディスク面に押し込む方向の作用のさせ方と、実施形態４のように、光ディスク面を引っぱる作用のさせ方との２通りあるが、いずれの方法によっても同様の効果を得ることができる。
【００６９】
以下、本発明を実施例および比較例に基づいてより具体的に説明する。
【００７０】
（実施例１）
実施例１の構成は図５に示すものであって、補助安定化部材６は、ディスクに対向する端面を曲率半径２００ｍｍとし、平面視直径４０ｍｍの円柱状の形状とした。この補助安定化部材６を、主安定化部材５よりもディスク回転方向上下流側の９０度位置で、ディスク対向面の中心がディスクにおける半径４５ｍｍの位置となるように一対配置した。
【００７１】
また主安定化部材５は、ディスク半径方向に延在させた形状とし、ディスク対向面の曲率半径をディスク半径方向に渡って半径５０ｍｍに一定とし、ディスク円周方向の有効領域幅をディスク半径方向に渡って１５ｍｍに一定とした。この主安定化部材５を、その作用面が光ピックアップ４の半径方向における動線Ｒに対向するように配置した。また、主安定化部材５におけるディスク半径方向の長さは、ディスク半径方向における略２０ｍｍ〜略６０ｍｍの範囲を覆う４０ｍｍとした。
【００７２】
また本実施例では、ディスク部材として直径１２０ｍｍ，厚さ７５μｍのポリカーボネイト製シートを用い、まず、このシートに、熱転写でスタンパのピッチ０．６μｍ、幅０．３μｍのグルーブを転写し、その後、スパッタリングでシート／Ａｇ反射層  １２０ｎｍ／（ＺｒＯ2−Ｙ2Ｏ3）−ＳｉＯ2  ７ｎｍ／ＡｇＩｎＳｂＴｅＧｅ  １０ｎｍ／ＺｎＳ−ＳｉＯ2  ２５ｎｍ／Ｓｉ3Ｎ4  １０ｎｍの順番に成膜した。
【００７３】
情報記録領域は内周直径４０ｍｍから外周直径１１８ｍｍまで（半径２０ｍｍ〜５８ｍｍ）の範囲に設定した。その後、ＵＶ樹脂をスピンコートし、紫外線照射で硬化させて厚さ５μｍの透明保護膜を形成した。また、逆側の面には１０μｍ厚のハードコートを施した。なお、このディスク中心部には外形直径３０ｍｍ，内径直径１５ｍｍ、厚み０．３ｍｍのハブ２を取り付けた。このディスクの仕上がり状態はハードコート側に僅かに反った形状となった。
【００７４】
前記ディスクを１５ｍ／ｓｅｃのディスク回転数で回転させ、その後に、補助安定化部材６をディスク基準面を基準として３ｍｍ押し込んだ。なお、ここでのディスク基準面とは、ディスクが理想的に平坦であると仮定した場合の補助安定化部材６側のディスク面のことである。
【００７５】
また、補助安定化部材６の移動動作の基準点は、その作用面の中心とした。その後、主安定化部材５をディスク基準面近傍まで近づけた。
【００７６】
この状態において、光ピックアップ４の位置にレーザ変位計を配置して、半径２５，４０，５５ｍｍの各位置においてディスク面ぶれを計測し、ディスク半径方向に渡って、有効かつ均一にディスク面ぶれ低減効果が得られているかを評価した。
【００７７】
（実施例２）
実施例２の構成は図１５に示すものであって、補助安定化部材６は、ディスクに対向する端面を曲率半径２００ｍｍとし、平面視直径４０ｍｍの円柱状の形状とした。この補助安定化部材６を、主安定化部材５よりもディスク回転方向上下流側の９０度位置で、ディスク対向面の中心がディスクの半径４５ｍｍの位置となるように一対配置した。
【００７８】
主安定化部材５は、ディスク半径方向に延在させた形状とし、そのディスク半径方向の断面形状は、図１６に示すように、ディスク外周側でのディスク円周方向の有効領域幅Ｌｂが、ディスク内周側での有効領域幅Ｌａよりも小さくなるようにした。また、ディスク円周方向の曲率半径は、ディスク内外周ともＲａ＝Ｒｂと一定になるようにした。
【００７９】
具体的な主安定化部材５の形状は、ディスク半径２５ｍｍの位置における有効領域幅を３０ｍｍ、ディスク半径５５ｍｍの位置における有効流域幅を１０ｍｍとし、その間は有効領域幅を連続的に変化させ、ディスク円周方向の曲率半径はディスク半径方向全域に渡って５０ｍｍに一定とした。
【００８０】
さらに主安定化部材５は、その作用面が光ピックアップ４における半径方向の動線Ｒに対向するように配置し、主安定化部材５におけるディスク半径方向長さは、ディスク半径方向における略２０ｍｍ〜略６０ｍｍの領域を覆う４０ｍｍとした。
【００８１】
前記構成の実施例２において、実施例１と同様のディスクを用いて同様の評価を実施した。
【００８２】
（実施例３）
実施例３の構成は図１３に示すものであって、補助安定化部材６は、ディスクに対向する端面を曲率半径２００ｍｍとし、平面視直径４０ｍｍの円柱状の形状とした。この補助安定化部材６を、主安定化部材５よりもディスク回転方向上下流側の９０度位置で、ディスク対向面の中心がディスクの半径４５ｍｍの位置となるように一対配置した。
【００８３】
主安定化部材５は、ディスク半径方向に延在させた形状とし、そのディスク半径方向の断面形状は、図１４に示すように、ディスク外周部での曲率半径Ｒｂがディスク内周部の曲率半径Ｒａよりも小さくなるようにし、ディスク円周方向の有効領域幅を、ディスク内外周ともＬａ＝Ｌｂと一定になるようにした。
【００８４】
具体的な主安定化部材５の形状は、ディスク半径２５ｍｍの位置における曲率半径を１００ｍｍ、ディスク半径５５ｍｍの位置における曲率半径を５０ｍｍとし、その間は曲率半径を連続的に変化させ、ディスク円周方向の有効領域幅はディスク半径方向全体に渡って１５ｍｍに一定とした。
【００８５】
さらに主安定化部材５は、その作用面が光ピックアップ４における半径方向の動線Ｒに対向するように配置した。主安定化部材５のディスク半径方向長さは、ディスク半径方向における略２０ｍｍ〜略６０ｍｍの領域を覆う４０ｍｍとした。
【００８６】
前記構成の実施例３において、実施例１と同様のディスクを用いて同様の評価を実施した。
【００８７】
（実施例４）
実施例４の構成は図１１に示すものであって、補助安定化部材８は、図示するようにディスクを覆う半円状の平板とした。この補助安定化部材８を、主安定化部材５よりもディスク回転方向上下流側の９０度位置を中心として、ディスクの外周端を覆うように一対配置した。この際、補助安定化部材８は図示する方向に８度傾けてディスク面に作用させた。
【００８８】
主安定化部材５は、ディスク半径方向に延在させた形状とし、そのディスク半径方向の断面形状は、図１４に示すように、ディスク外周部での曲率半径Ｒｂがディスク内周部の曲率半径Ｒａよりも小さくなるようにし、ディスク円周方向の有効領域幅は、内外周ともＬａ＝Ｌｂと一定になるようにした。
【００８９】
具体的な主安定化部材５の形状は、ディスク半径２５ｍｍの位置における曲率半径を１００ｍｍ、ディスク半径５５ｍｍの位置における曲率半径を５０ｍｍとし、その間は曲率半径を連続的に変化させ、ディスク円周方向の有効領域幅はディスク半径方向に渡って１５ｍｍ一定とした。
【００９０】
さらに、主安定化部材５は、その作用面が光ピックアップ４における半径方向の動線Ｒに対向するように配置し、ディスク半径方向長さは、ディスク半径方向における略２０ｍｍ〜略６０ｍｍの領域を覆う４０ｍｍとした。
【００９１】
前記構成の実施形態４において、実施例１と同様のディスクを用いて同様の評価を実施した。
【００９２】
（実施例５）
実施例５の構成は図９に示すものであって、補助安定化部材６は、ディスクに対向する端面を曲率半径２００ｍｍとし、平面視直径４０ｍｍの円柱状の形状とした。この補助安定化部材６を、主安定化部材５のディスク回転方向上下流にそれぞれ１つずつ、ハブ２の径によって決められる領域Ｃの主安定化部材５寄りの範囲で、主安定化部材５側の境界から２ｍｍ内側の位置に配置（補助安定化部材６の曲面の中心をこの位置に合わせた）し、その押し込み量はディスク基準面を基準として３ｍｍに設定した。
【００９３】
さらに両補助安定化部材６は、光ピックアップ４の動線Ｒを挟んで対象となるようにし、この動線Ｒからの距離は４５ｍｍとした。この構成により、後述の評価において、補助安定化部材６をディスク面に３ｍｍ押し込んだ場合の補助安定化部材６とディスクの近接点は、領域Ｃ内の主安定化部材５よりの境界線付近に設定される。
【００９４】
主安定化部材５は、ディスク半径方向に延在させた形状とし、そのディスク半径方向の断面形状は、図１６に示すように、ディスク外周側でのディスク円周方向の有効領域幅Ｌｂが、ディスク内周側での有効領域幅Ｌａよりも小さくなるようにした。また、ディスク円周方向の曲率半径は、内外周ともＲａ＝Ｒｂと一定になるようにした。
【００９５】
具体的な主安定化部材５の形状は、ディスク半径２５ｍｍの位置における有効領域幅を３０ｍｍ、ディスク半径５５ｍｍの位置における有効流域幅を１０ｍｍとし、その間は有効領域幅を連続的に変化させ、ディスク円周方向の曲率半径はディスク半径方向に渡って５０ｍｍと一定にした。
【００９６】
また主安定化部材５は、その作用面が光ピックアップ４における半径方向の動線Ｒに対向するように配置し、主安定化部材５におけるディスク半径方向長さは、ディスク半径方向における略２０ｍｍ〜略６０ｍｍの領域を覆う４０ｍｍとした。
【００９７】
前記構成の実施例５において、実施例１と同様のディスクを用いて同様の評価を実施した。
【００９８】
（実施例６）
実施例６の構成は、図７，図８に示すものであって、補助安定化部材６は、光ディスク１に対向する端面を曲率半径５００ｍｍとし、平面視直径４０ｍｍの円柱状の形状とした。主安定化部材５は実施例５と同様とした。補助安定化部材６は、主安定化部材５よりもディスク回転方向上下流側の９０度位置で、ディスク対向面の中心がディスクの半径４０ｍｍの位置となるように配置した。また、補助安定化部材６のディスク回転軸方向位置はディスク基準面から０．５ｍｍ離れた位置に設定した。
【００９９】
前記構成の実施例６において、実施例１と同様のディスクを用いて同様の評価を実施した。
【０１００】
（比較例１）
比較例１の構成は図２３，図２４に示すものであって、円筒状の主安定化部材５を１つだけ用いた構成である。主安定化部材５は、ディスクに対向する端面を曲率半径１００ｍｍとし、平面視直径１０ｍｍの円柱状の形状とした。
【０１０１】
なお、ここでは、説明するための必要最小限の構成を図示するに留め、詳細な機構制御系などは図示しないが、主安定化部材５にはディスク半径方向の移動機構とディスク回転軸方向の位置制御機構を具備させた。
【０１０２】
前記構成の比較例１において、実施例１と同様のディスクを１５ｍ／ｓｅｃのディスク回転数で回転させた。その後、主安定化部材５を、その作用面がディスク基準面近傍となるように配置して、ディスク半径方向を移動させ、２５ｍｍ，４０ｍｍ，５５ｍｍの各ディスク半径位置において、光ピックアップ４の位置に配置したレーザ変位計によってディスク面ぶれを計測した。
【０１０３】
なお、図２３，図２４においては、主安定化部材５をディスク基準面に対して押し込んだ例を示してあるが、本比較例はこの押し込み量を零とした場合の例である。
【０１０４】
（比較例２）
比較例２の構成は、比較例１と同様に円筒状の主安定化部材５を１つだけ用いたものである。主安定化部材５は、ディスクに対向する端面を曲率半径１００ｍｍとし、平面視直径１０ｍｍの円柱状の形状とした。
【０１０５】
比較例１と同様に、説明するための必要最小限の構成を図示するに留め、詳細な機構制御系などは図示しないが、主安定化部材５にはディスク半径方向の移動機構とディスク回転軸方向の位置制御機構を具備させた。
【０１０６】
前記構成の比較例２において、実施例１と同様のディスクを１５ｍ／ｓｅｃのディスク回転数で回転させた。その後、主安定化部材５をディスク面に対して押し込み、かつディスク半径及び円周方向のチルト制御を行って、光ピックアップ位置でのディスク面ぶれが最小となるように調整した。この動作を２５ｍｍ，４０ｍｍ，５５ｍｍの各ディスク半径位置において実施し、光ピックアップ４の位置に配置したレーザ変位計によってディスク面ぶれを計測した。この測定範囲におけるディスク面ぶれを最小にするための主安定化部材５の押し込み調整量は１〜３ｍｍ（ディスク基準面を原点として）、チルト調整量は半径方向３〜６度、円周方向１〜２度（回転軸方向を原点として）であった。
【０１０７】
本実施例と比較例において、各半径位置でのディスク面ぶれは、図２５に示す通りとなった。この結果に示すように、本実施例では、主安定化部材５が存在するディスク半径方向全体に渡って良好なディスク面ぶれ低減効果を得ることができた。すなわち、ディスク半径方向に渡るこれら効果が、ディスクと安定化部材の位置関係を規定するだけで得られており、主安定化部材５に対して何ら複雑な機構を持たせることなく、また何ら複雑な動作を行わせることなく、ディスク半径方向に渡って良好なディスク面ぶれ安定状態が得られた。
【０１０８】
例えば比較例１は、円筒状の主安定化部材５を一つだけ用いた場合に、主安定化部材５の動作機構の簡略化を優先させた場合の一例であるが、主安定化部材５はディスク面ぶれ低減の効果をほとんど奏することができていない。本実施例においては、この比較例よりも安定化部材の動作機構を簡略化した上で、かつディスク半径方向に渡るディスク面ぶれ低減効果を確保できており、その効果は絶大である。
【０１０９】
一方、比較例２は、主安定化部材５のディスク面に対する押し込み量の制御と、主安定化部材５における半径および円周方向のチルト制御を駆使して、光ピックアップ位置でのディスク面ぶれを最小化した例であり、ディスク半径方向に渡ってのディスク面ぶれを十分に低減することはできているが、その調整機構および調整方法は既述したように非常に複雑であった。この例との比較においても本実施例の簡略化した機構系の効果が絶大であるといえる。
【０１１０】
また、実施例１と実施例２〜６を比較すると、後者の実施例の方が、ディスク半径方向のディスク面ぶれ低減効果が均一なことが伺える。これは、ディスク半径方向に延在させた主安定化部材５における作用表面の形状によるものである。
【０１１１】
特に実施例５においては、他の実施例と比較して、最も良好なディスク面ぶれ低減効果を得ることができている。これは補助安定化ガイド５の配置位置構成によるものである。
【０１１２】
一方、既述したディスク仕様のうち、ハードコート膜厚を０〜２０μｍの間で適宜選択して設定し、かつディスクの反りの状態を主安定化部材側に対して凸から凹形状に変化するようにして、ディスク仕様を変化させたサンプルを準備した。また、該ディスク仕様を基準として、ディスク部材となるポリカーボネイトの膜厚を５０〜１２０μｍの間で適宜選択して設定したサンプルを準備した。
【０１１３】
これら、各種ディスクの仕様の変化に関係なく、実施例２の補助安定化部材６と主安定化部材５の構成により、いずれのディスク仕様においても先と同様の結果が得られた。なお、補助安定化部材のディスク回転軸方向の位置は、各ディスクの反りの状態に応じて適宜調整した。
【０１１４】
このような補助安定化部材に対する適正な条件調整は、ディスク仕様ごとに異なったが、図２０に示すように、補助安定化部材６をディスクカートリッジ内壁に具備させ、収納するディスク仕様ごとにディスクカートリッジ内壁の補助安定化部材の配置条件を調整することにより、記録／再生装置側の構成設計においてディスク仕様を意識せずとも、所望の条件でディスク面ぶれを低減することができる。
【０１１５】
また、任意のディスク仕様においては、ディスク半径方向のディスク面ぶれ低減効果に若干のばらつきが見られる場合もあったが、ディスク仕様に応じて、主安定化部材の表面形状、あるいは配置位置を調整することにより、均一化することができた。例えば、これら安定化部材の配置条件の調整においては、ディスクカートリッジを安定化部材の位置を調整して配設可能な構造としておくことにより、容易に対応することができた。
【０１１６】
あるいは、このディスクカートリッジの生産にあたっては、この成形用金型の安定化部材成形部位をディスク仕様に応じて移動できるようにしておくことにより、金型代のコストを増大させることなく、各種ディスクの仕様に対応したディスクカートリッジを製作することができる。
【０１１７】
このように、本実施形態，本実施例では、可撓性を有する光ディスクに対してベルヌーイ効果を作用させる安定化部材の簡易な制御により、光ディスクの記録／再生位置におけるディスク面ぶれを低減させることができ、さらに、この制御に伴う記録／再生ヘッドである光ピックアップの記録／再生位置への位置調整を容易に行うことが可能にすることができる。
【産業上の利用可能性】
【０１１８】
本発明は、可撓性を有する記録ディスクに対して記録および／または再生処理を行う記録／再生装置、およびその記録ディスクを収納するディスクカートリッジに適用され、本発明が対象とする記録ディスクは、相変化メモリ，光磁気メモリ，ホログラムメモリなどのディスク状の記録ディスクで活用するものすべてを対象とする。
【図面の簡単な説明】
【０１１９】
【図１】本発明の記録／再生装置の実施形態１を説明するための要部の平面図
【図２】図１の実施形態１の正面図
【図３】本発明の記録／再生装置の実施形態２を説明するための要部の平面図
【図４】図３の実施形態２の正面図
【図５】本発明の記録／再生装置の実施形態３を説明するための要部の平面図
【図６】図５の実施形態３の正面図
【図７】本発明の記録／再生装置の実施形態４を説明するための要部の平面図
【図８】図７の実施形態４の正面図
【図９】本発明の記録／再生装置の実施形態３の変形例を説明するための要部の平面図
【図１０】図９の実施形態３の変形例の正面図
【図１１】本発明の記録／再生装置の実施形態５を説明するための要部の平面図
【図１２】図１１の実施形態５の正面図
【図１３】本発明の記録／再生装置の実施形態６を説明するための要部の平面図
【図１４】図１３の実施形態６における安定化部材の断面図
【図１５】本発明の記録／再生装置の実施形態７を説明するための要部の平面図
【図１６】図１５の実施形態７における安定化部材の断面図
【図１７】本発明の記録／再生装置の実施形態８を説明するための要部の平面図
【図１８】図１７の実施形態８における安定化部材の断面図
【図１９】本実施形態の記録／再生装置における補助安定化部材の設置例を示す断面図
【図２０】本発明の実施形態であるディスクカートリッジを説明するための断面図
【図２１】本実施形態のディスクカートリッジの平面図
【図２２】図２１のディスクカートリッジの横断面図
【図２３】本発明の実施例との比較例における構成を説明するための平面図
【図２４】図２３の比較例の正面図
【図２５】本発明の実施例と比較例とにおける特性評価の一覧を示す図
【符号の説明】
【０１２０】
１  光ディスク
２  ハブ
３  スピンドルモータ
４  光ピックアップ
５  主安定化部材
６，８  副安定化部材
１０  装置本体の筺体
１１  ディスクカートリッジ
Ａ  光ピックアップ動線の延長線
Ｂ１，Ｂ２  ハブの周部を通り直線Ａに垂直な直線
Ｒ  動線
Ｓ１，Ｓ２，Ｃ  記録ディスクの面内において区分した領域
Ｌａ，Ｌｂ  安定化部材の幅
Ｒａ，Ｒｂ  安定化部材の曲率半径
【図１】
2005032402.tif 000003
【図２】
2005032402.tif 000004
【図３】
2005032402.tif 000005
【図４】
2005032402.tif 000006
【図５】
2005032402.tif 000007
【図６】
2005032402.tif 000008
【図７】
2005032402.tif 000009
【図８】
2005032402.tif 000010
【図９】
2005032402.tif 000011
【図１０】
2005032402.tif 000012
【図１１】
2005032402.tif 000013
【図１２】
2005032402.tif 000014
【図１３】
2005032402.tif 000015
【図１４】
2005032402.tif 000016
【図１５】
2005032402.tif 000017
【図１６】
2005032402.tif 000018
【図１７】
2005032402.tif 000019
【図１８】
2005032402.tif 000020
【図１９】
2005032402.tif 000021
【図２０】
2005032402.tif 000022
【図２１】
2005032402.tif 000023
【図２２】
2005032402.tif 000024
【図２３】
2005032402.tif 000025
【図２４】
2005032402.tif 000026
【図２５】
2005032402.tif 000027